(57)【特許請求の範囲】
【請求項１】
コアに２層以上の被覆層が形成され、上記被覆層のうち互いに隣接する２層の内側層に多数の凹部を、外側層に上記凹部に対応してこれら凹部に侵入する凸部を形成した多層構造ゴルフボールであって、上記凹部と接することのない内側層外周と同じ長さの大円状の稜線が１本形成できると共に、この大円状稜線と直角に交差し、内側層外周長さの少なくとも１／４の長さの円弧状の稜線が、極地点と上記大円状稜線との間に、この大円状稜線と極地点から３０度の位置との間は少なくとも上記凹部と接することなく、片側半球でそれぞれ少なくとも２本形成でき、かつ上記大円状稜線によって分けられたそれぞれの半球部において、上記円弧状の稜線によって区画された領域に上記凹部がこの円弧状稜線において線対称に配置されたことを特徴とする多層構造ゴルフボール。
【請求項２】
上記凹部の内側層外面における開口部の寸法がすべて同一寸法である請求項１記載の多層構造ゴルフボール。
【請求項３】
上記円弧状稜線が片側半球において２〜１０本形成できると共に、これら円弧状稜線が極地点において互いに等角度で大円状稜線に向けて垂下されている請求項１又は２記載のゴルフボール。
【請求項４】
上記互いに隣接する２層の界面がボール表面から０．５〜８ｍｍの位置にある請求項１，２又は３記載のゴルフボール。
【請求項５】
上記内側層に、この内側層に凹部を形成しない状態における仮想球表面積をＳｎ（ｍｍ2）、この内側層に形成された凹部の表面側開口部面積の総和をＳｂ（ｍｍ2）とした場合、その比率Ｓｂ／Ｓｎが０．０２≦Ｓｂ／Ｓｎ≦０．６となるように凹部を形成した請求項１乃至４のいずれか１項記載のゴルフボール。
【請求項６】
上記互いに隣接する内側層と外側層とのショアＤ硬度での硬度差が２０以上６０以下であり、かつ外側層が硬いものである請求項１乃至５のいずれか１項記載のゴルフボール。
【請求項７】
上記内側層が形成された状態における球体の直径をＤｎ（ｍｍ）、この内側層に形成された凹部の表面側開口部面積の総和をＳｂ（ｍｍ2）とした場合、
１５−０．３×Ｄｎ≦Ｓｂ≦６０−０．３×Ｄｎ
の関係を満たすように凹部を形成した請求項１乃至６のいずれか１項記載のゴルフボール。
【請求項８】
上記互いに隣接する２層が内層カバーと外層カバーである請求項１乃至７のいずれか１項記載のゴルフボール。
【請求項９】
ゴルフボールが、コアを覆って包囲層が形成され、かつこの包囲層を覆って２層以上のカバー層が形成されたものであり、上記互いに隣接する２層が包囲層と最内層カバーである請求項１乃至７のいずれか１項記載のゴルフボール。
【発明の詳細な説明】
【０００１】
【発明の属する技術分野】
本発明は、コアに２層以上の被覆層が形成された多層構造ゴルフボールに関し、特に上記被覆層のうち互いに隣接する２層の内側層に凹部を、外側層にこの凹部と対応して凹部内に侵入する凸部を設けた多層構造ゴルフボールに関する。
【０００２】
【従来の技術及び発明が解決しようとする課題】
従来より、ゴルフボールの飛距離の増大と良好なフィーリング性能を両立させるために、様々な検討及び提案が試みられており、中でもソリッドコアとカバーからなるソリッドゴルフボールにおいては、コア及びカバーを多層とし、その硬度や大きさ（直径、厚み）などを調整することが一般的に行われている。
【０００３】
例えば、特許第２６１６３８５号公報には、コアと内層カバーと外層カバーとからなるスリーピースボールにおいて、内層カバーより外層カバーを硬く形成したスリーピースゴルフボールが提案されている。
【０００４】
一方、ゴルフボールを構成する各層の表面形状は滑らかな球面が主流であるが、米国特許第５，８８２，５６７号公報には、コアの周囲にカバーをインジェクション成形する時にコアの偏芯を抑制する目的で、コアに突起を有するゴルフボールが提案されている。
【０００５】
しかしながら、上記ゴルフボールの突起は、インジェクション成形時のサポートピンの代用を図るためのものであり、このサポートピン突起の形状効果について積極的に活用を試みたものではない。
【０００６】
また最近、ツーピースボールのソリッドコアとカバー、多層構造ソリッドコアの隣接する層、及び多層カバー間などに凹凸を設けたゴルフボールが提案されている（特開平９−２８５５６５号公報、同１０−３３７３４０号公報、同１１−８９９７０号公報）。このゴルフボールは、打撃時にボールに加わる外力の方向によってプレーヤーに異なる打感を与えることができるものである。
【０００７】
しかしながら、上記ゴルフボールは、打感の点は改良されているが、飛び性能の向上、耐久性、打点位置による均一性などの点で十分なものではなく、更なる改良の余地を残していた。
【０００８】
本発明は、上記事情を改善するためになされたもので、飛距離が大きいと共にそのばらつきが小さく、かつ良好な打球感を与える多層構造ゴルフボールを提供することを目的とする。
【０００９】
【課題を解決するための手段及び発明の実施の形態】
本発明者は、コアに２層以上の被覆層が形成され、そのうち互いに隣接する２層の内側層に凹部を、外側層にこの凹部に対応してこれに侵入する凸部を形成した多層構造ゴルフボールについて鋭意検討を進めた結果、凹凸形状を内包する構造においては、凹凸そのもののゴルフボール性能への効用を期待して構造設計を行うと、反面、凹凸形状の効果が打球面ごとによってばらつきを生じてしまうことを見出した。凹凸形状による性能への効果が大きければ大きい程、配列そのものの均一性が必要になってくる。その点を鑑み、本発明者は種々検討を進め、上記凹部と接することのない内側層外周と同じ長さの大円状の稜線が１本形成できると共に、この大円状稜線と直角に交差し、内側層外周長さの少なくとも１／４の長さの円弧状の稜線が、極地点と上記大円状稜線との間に、この大円状稜線と極地点から３０度の位置との間は少なくとも上記凹部と接することなく、片側半球でそれぞれ少なくとも２本形成でき、かつ、上記大円状稜線によって分けられたそれぞれの半球部において、上記円弧状の稜線によって区画された領域に上記凹部をこの円弧状稜線において線対称に配置した場合、飛距離が大きく、外観が良好なゴルフボールが得られること、特に工程上で比較的安定的に作成しやすく、性能そのものにもばらつきが少ないゴルフボールが得られることを見出した。つまり、内側層表面に凹部を形成することが必要とされるために、作成上、どうしても成形後、離型時にアンダーカットが生じ、従来の射出成形型技術のみでは達成が困難である。予め内側層を凹部を形成することなく作成し、そこから凹部を追加工する手段もあるが、比較的安定して安価に作成するには、金型技術で問題解決する方が望ましい。本発明では、金型を分割し、割型として形成し、従来の射出成形の範疇で形成可能とし、更に配置の制約となる分割線を考慮した配列方法を用い、より均一な性能が得られるような設計を行ったものである。
【００１０】
即ち、本発明は、下記多層構造ゴルフボールを提供する。
請求項１：
コアに２層以上の被覆層が形成され、上記被覆層のうち互いに隣接する２層の内側層に多数の凹部を、外側層に上記凹部に対応してこれら凹部に侵入する凸部を形成した多層構造ゴルフボールであって、上記凹部と接することのない内側層外周と同じ長さの大円状の稜線が１本形成できると共に、この大円状稜線と直角に交差し、内側層外周長さの少なくとも１／４の長さの円弧状の稜線が、極地点と上記大円状稜線との間に、この大円状稜線と極地点から３０度の位置との間は少なくとも上記凹部と接することなく、片側半球でそれぞれ少なくとも２本形成でき、かつ上記大円状稜線によって分けられたそれぞれの半球部において、上記円弧状の稜線によって区画された領域に上記凹部がこの円弧状稜線において線対称に配置されたことを特徴とする多層構造ゴルフボール。
請求項２：
上記凹部の内側層外面における開口部の寸法がすべて同一寸法である請求項１記載の多層構造ゴルフボール。
請求項３：
上記円弧状稜線が片側半球において２〜１０本形成できると共に、これら円弧状稜線が極地点において互いに等角度で大円状稜線に向けて垂下されている請求項１又は２記載のゴルフボール。
請求項４：
上記互いに隣接する２層の界面がボール表面から０．５〜８ｍｍの位置にある請求項１，２又は３記載のゴルフボール。
請求項５：
上記内側層に、この内側層に凹部を形成しない状態における仮想球表面積をＳｎ（ｍｍ2）、この内側層に形成された凹部の表面側開口部面積の総和をＳｂ（ｍｍ2）とした場合、その比率Ｓｂ／Ｓｎが０．０２≦Ｓｂ／Ｓｎ≦０．６となるように凹部を形成した請求項１乃至４のいずれか１項記載のゴルフボール。
請求項６：
上記互いに隣接する内側層と外側層とのショアＤ硬度での硬度差が２０以上６０以下であり、かつ外側層が硬いものである請求項１乃至５のいずれか１項記載のゴルフボール。
請求項７：
上記内側層が形成された状態における球体の直径をＤｎ（ｍｍ）、この内側層に形成された凹部の表面側開口部面積の総和をＳｂ（ｍｍ2）とした場合、
１５−０．３×Ｄｎ≦Ｓｂ≦６０−０．３×Ｄｎ
の関係を満たすように凹部を形成した請求項１乃至６のいずれか１項記載のゴルフボール。
請求項８：
上記互いに隣接する２層が内層カバーと外層カバーである請求項１乃至７のいずれか１項記載のゴルフボール。
請求項９：
ゴルフボールが、コアを覆って包囲層が形成され、かつこの包囲層を覆って２層以上のカバー層が形成されたものであり、上記互いに隣接する２層が包囲層と最内層カバーである請求項１乃至７のいずれか１項記載のゴルフボール。
【００１１】
本発明のゴルフボールにおいては、多層構造のいずれかの互いに隣り合う内外層において、内側層に凹部を形成し、それに相応する凸部を外側層に形成している構造に特徴を有するが、更に本発明は、凹部、凸部の配列に上記配列方法を用いることによって、種々性能のばらつきを少なく抑えることができる。
【００１２】
また、隣り合う２つの層に凹凸を設けることによって、凹部を形成する層の素材特性と凸部を形成する層の素材特性とを混合させた効果を得ることができる。本発明においては、特に内側層を外側層よりもショアＤ硬度で２０〜６０軟らかい構成とすること、また凹凸を正多面体配列する場合、球面を正多面体分割し、この正多面体の基本ユニットとなる分割面に凹凸を配置するものであるが、この際、互いに隣接する分割面の境界線において、これら隣接する分割面に配置される凹凸が線対称となるような配置態様とすれば、更にその効果を均等に発揮し得る。なお、上記正多面体の基本ユニットは、例えば正４面体、正８面体、正２０面体では三角形、正６面体では正方形、正１２面体では正五角形となる。また更には、凹部を形成する内側層表面における凹部の面積比率が２〜６０％の範囲にあると、その効果が更に助長される。
【００１３】
本発明者は、更にゴルフボールの変形に着目して、実際に打撃された時の変形を考慮して検討を重ねた結果、ゴルフボールは、設定するコンプレッションによっても異なるが、打撃時におおよそ３．５〜６ｃｍ2くらいの接触面積を有し、圧縮方向の変形は３〜６ｍｍ程度になる。従って、この凹凸構造の効果は、ゴルフボール表面から０．５〜８ｍｍの範囲に設定することがより効果的であることを知見したものである。また、このように変形を考慮して凹凸を形成する内外層界面の位置を規定したが、更に本発明においては、内層球の大きさと凹部形成面の占有率の概念とを考慮して、各々の関係を、上限として（６０−０．３×内層球の直径）、下限として（１５−０．３×内層球の直径）の関係式とを規定することによって、更に効果的な範囲を見出したものである。
【００１４】
以下、本発明につき更に詳しく説明すると、本発明のゴルフボールは、コアに２層以上の被覆層が形成されたもので、コアはソリッドコアでも糸巻きコアでもよい。被覆層は、コアを被覆する包囲層、コアを直接又は上記包囲層を介して被覆する１層又は２層以上のカバー層とすることができる。
【００１５】
図１は、本発明の多層構造ゴルフボールの一実施例を示す概略断面図であり、この多層ゴルフボール１は、ソリッドコア２と、該コア２を被覆する包囲層３と、この包囲層３を被覆する内層カバー４及びこれを被覆する外層カバー５から構成されている。この場合、包囲層３を省略することができる。
【００１６】
上記ソリッドコアは、ポリブタジエンゴムを主成分とする基材ゴムを主材とするゴム組成物から形成される。ポリブタジエンとしては、シス構造を少なくとも４０％以上有する１，４−シスポリブタジエンが好適である。また、この基材ゴム中には、所望により上記ポリブタジエンに天然ゴム、ポリイソプレンゴム、スチレンブタジエンゴムなどを適宜配合することができるが、ゴルフボールの反発性を維持するためには、これらポリブタジエン以外のゴム成分は、ポリブタジエン１００重量部に対し１０重量部以下とすることが好ましい。
【００１７】
上記ゴム組成物には、ゴム成分以外に架橋材としてメタクリル酸亜鉛、アクリル酸亜鉛等の不飽和脂肪酸の亜鉛塩、マグネシウム塩やトリメチルプロパンメタクリレート等のエステル化合物などを配合し得るが、特に反発性の高さからアクリル酸亜鉛を好適に使用し得る。これら架橋材の配合量は、基材ゴム１００重量部に対し１５〜４０重量部であることが好ましい。
【００１８】
また、加硫剤の配合量は、基材ゴム１００重量部に対し０．１〜５重量部とすることができる。
【００１９】
ゴム組成物には、更に必要に応じて、老化防止剤や比重調整用の充填剤として酸化亜鉛や硫酸バリウム等を配合することができ、充填剤の配合量は、基材ゴム１００重量部に対し５〜１３０重量部とすることができる。
【００２０】
ソリッドコア用ゴム組成物の好適な実施態様は、以下に示す通りである。
シス−１，４−ポリブタジエン                    １００重量部
酸化亜鉛                                      ５〜４０重量部
アクリル酸亜鉛                              １５〜４０重量部
硫酸バリウム                                  ０〜４０重量部
パーオキサイド                          ０．１〜５．０重量部
加硫条件：好ましくは１５０±１０℃の条件で５〜２０分間加硫を行う。
【００２１】
上記コア用ゴム組成物は、通常の混練機（例えばバンバリーミキサー、ニーダー及びロール等）を用いて混練し、得られたコンパウンドをコア用金型を用いてインジェクション成形又はコンプレッション成形により形成することができる。
【００２２】
このようにして得られたソリッドコアは、その直径が好ましくは２７ｍｍ以上、特に２９ｍｍ以上であり、４１ｍｍ以下、特に４０ｍｍ以下であることが好ましい。
【００２３】
また、コアの１００ｋｇ荷重負荷時の変形量は、好ましくは２．５〜７．０ｍｍ、より好ましくは３．０〜６．０ｍｍである。重量は、通常１２〜４０ｇ程度である。
【００２４】
なお、コアは、１種類の材料からなる単層構造としてもよく、異種の材料からなる層を積層した２層以上からなる多層構造としても構わない。
【００２５】
上記包囲層は、ポリエステル樹脂、ポリエステルエラストマー、アイオノマー樹脂、スチレン系エラストマー、ポリウレタンエラストマー、水添ブタジエン樹脂及びこれらの混合物などを用いて形成でき、特に熱可塑性ポリエステルエラストマーが好ましい。具体的には、ハイトレル（東レ・デュポン社製）等の市販品を用いることができる。
【００２６】
この包囲層のショアＤ硬度は１５以上、特に２０以上であり、５５以下、特に５０以下とすることができる。また、その厚さは０．５ｍｍ以上、特に１．５ｍｍ以上であり、６ｍｍ以下、特に５ｍｍ以下とすることができる。
【００２７】
カバー（内層カバー、外層カバー）の形成に用いるカバー材は、特に制限されず、公知のカバー材を用いることができ、例えばアイオノマー樹脂、ポリウレタン樹脂、ポリエステル樹脂、ポリエステルエラストマー、スチレン系エラストマー、ポリウレタンエラストマー、水添ブタジエン樹脂、バラタゴム等から任意に選択することができるが、特にアイオノマー樹脂が好ましい。具体的には、「サーリン」（デュポン社製）、「ハイミラン」（三井・デュポンポリケミカル社製）などの市販品を用いることができる。
【００２８】
このカバー材には、所望により二酸化チタン、硫酸バリウム等を添加して、比重などを調整することができる。更に、必要に応じてＵＶ吸収剤、酸化防止剤、金属石鹸等の分散剤などを添加することもできる。なお、カバーは１種の材料からなる単層構造としてもよく、異種の材料からなる層を積層した２層以上の多層構造としてもよい。
【００２９】
上記カバーの総厚みは０．５ｍｍ以上、特に１．０ｍｍ以上であり、８ｍｍ以下、特に７ｍｍ以下とすることができる。なお、内層カバーと外層カバーの２層構造の場合、内層カバー厚さを０．３ｍｍ以上、特に１．０ｍｍ以上とし、７ｍｍ以下、特に６ｍｍ以下とすると共に、外層カバーを０．５ｍｍ以上、特に１．０ｍｍ以上とし、６ｍｍ以下、特に４ｍｍ以下とすることが好ましい。
【００３０】
カバーの硬度は、通常ショアＤ硬度として１５〜８０の範囲から選定される。また、内層カバーと外層カバーの２層構造に形成する場合、いずれが硬くてもよい。
【００３１】
而して、本発明にあっては、上記２層以上の被覆層が形成された多層構造ゴルフボールにおいて、上記被覆層のうち互いに隣接する２層、例えば図１のゴルフボールにあっては、内層カバーと外層カバー、あるいは包囲層と内層カバーの内側層に多数の凹部を形成すると共に、外側層に上記凹部に対応してこれら凹部に侵入する凸部を形成する。なお、図１は、内層カバーに凹部４ａが形成され、これに外層カバーの凸部が侵入した状態を示す。
【００３２】
この場合、凹部（凸部）の個数は５０個以上、好ましくは７０個以上、更に好ましくは１２０個以上であり、５００個以下、好ましくは４６０個以下、更に好ましくは４１０個以下とすることが推奨される。少なすぎると作用効果が得にくく、ばらつきも多くなる。多すぎると作用効果が得にくく、従来の多層ゴルフボールと大きな相違がなくなる。
【００３３】
凹部の深さは、その内側層の厚さに対応するが、内側層の厚さの１／２以上、より好ましくは２／３以上、更に好ましくは内側層を貫通して形成することが好ましい。また凹部の形状は特に制限されないが、円柱、円錐、角柱、角錐、円錐台、角錐台状等の適宜な形状に形成し得る。なお、凹部を内側層を貫通した状態で形成する場合、貫通した状態とは、内側層の内面において凹部が点状に集束した状態を含むものであるが、最も好ましくは内側層内面において開口した状態であることが凸部の補強効果の増大、即ち作用効果を十分得るために好適である。
【００３４】
また、凹部の内側層外面における開口部の寸法（大きさ；平面円形の場合は直径、三角形の場合は最も長い辺、四角形その他の場合は最も長い対角線）は０．５ｍｍ以上、好ましくは１．０ｍｍ以上であり、５．０ｍｍ以下、好ましくは４．０ｍｍ以下とすることがよい。
【００３５】
更に、上記内側層に、この内側層に凹部を形成しない状態における仮想球表面積をＳｎ（ｍｍ2）、この内側層に形成された凹部の表面側開口部面積の総和をＳｂ（ｍｍ2）とした場合、その比率Ｓｂ／Ｓｎが０．０２以上、より好ましくは０．０３以上、更に好ましくは０．０４以上であり、０．６以下、より好ましくは０．５以下、更に好ましくは０．４５以下となるように凹部を形成することが好ましい。
【００３６】
また、上記内側層の外面（内側層と外側層との界面）は、ゴルフボール表面（ディンプルが形成されていない部分）から０．５〜８ｍｍ、特に１〜６ｍｍの位置にあることが好ましいが、上記内側層が形成された状態における球体の直径をＤｎ（ｍｍ）、この内側層に形成された凹部の表面側開口部面積の総和をＳｂ（ｍｍ2）とした場合、
１５−０．３×Ｄｎ≦Ｓｂ≦６０−０．３×Ｄｎ
の関係を満たすように凹部を形成することが好ましい。
【００３７】
ここで、凹部を内側層の外面に配列する場合、上記凹部と接することのない内側層外周と同じ長さの大円状の稜線が１本形成できると共に、この大円状稜線と直角に交差し、内側層外周長さの少なくとも１／４の長さの円弧状の稜線が、極地点と上記大円状稜線との間に、この大円状稜線と極地点から３０度の位置との間は少なくとも上記凹部と接することなく、片側半球でそれぞれ少なくとも２本形成でき、かつ上記大円状稜線によって分けられたそれぞれの半球部において、上記円弧状の稜線によって区画された領域に上記凹部をこの円弧状稜線において線対称に配置する。
【００３８】
図２はこれを示すもので、図中１１は内側層、１２は凹部と接することのない上記大円状の稜線で、これは通常赤道線となる。また、１３は極地点１４から上記大円状の稜線１２に垂直に垂下された内側層外周長さの１／４の長さの円弧状の稜線であり、この円弧状稜線（１／４稜線）１３は、片側半球に少なくとも２本、好ましくは２〜１０本、より好ましくは３〜１０本、更に好ましくは３〜８本形成される。この場合、これら円弧状稜線１３は、極地点１４において互いに等角度で等配されていることが好ましい。また、これら円弧状稜線１３は、上記大円状稜線１２と上記極地点１４から３０度の位置Ｐとの間は上記凹部と接しないものであり、好ましくは該稜線１３全長において凹部と接しないものである。
【００３９】
なお、図２においては、片側半球１１ａに円弧状稜線１３が形成された状態を示しているが、他の片側半球１１ｂにも同様に円弧状稜線１３が形成されるものである。この場合、他の片側半球１１ｂにおける円弧状稜線の態様は上記と同じであるが、両半球１１ａ，１１ｂにおいて、円弧状稜線の数は同じでも異なっていてもよいが、同じである方が均一性の点から好ましい。また、一方の片側半球１１ａの円弧状稜線が大円状稜線において他の片側半球１１ｂの円弧状稜線と連続していてもよく、また他の片側半球１１ｂの円弧状稜線と非連続状態にあってもよい。なお、一方の片側半球１１ａにおいて、極地点１４で２本の円弧状稜線が互いに１８０度の位相差を持つ場合、これら２本の円弧状稜線は半円状稜線を形成し、これが他方の半球１１ｂにおける半円状稜線と連続している場合、大円状稜線を形成するものである。
【００４０】
また、凹部は、上記円弧状の稜線によって区画された領域（例えば、図２においてＡとＢ）にそれぞれ円弧状稜線において線対称に配置される。
【００４１】
なお、上記のように内側層に凹部を、外側層に凸部を形成する場合、互いに隣接する内側層と外側層とのショアＤ硬度での硬度差は２０以上、特に２５以上であり、６０以下、特に５５以下であり、かつ外側層を硬いものとすることが好ましい。
【００４２】
本発明においては、上記内側層を通常のインジェクション成形又はコンプレッション成形により形成することができ、この場合、内側層の成形と同時にその表面に多数の凹部を形成することが好ましい。具体的には、内側層用金型のキャビティ内表面に多数の凹部に対応した多数の凸部を形成し、この金型を用いて通常のインジェクション成形により表面に多数の凹部を有する内側層を形成することができる。なお、場合によっては、内側層を形成後、その表面をくり抜くことにより凹部を形成することも可能である。そして、これら凹部の形成に対応して、これら凹部間に凸部が形成される。
【００４３】
本発明においては、表面に凹部を多数形成した内側層を覆って外側層を通常のインジェクション成形又はコンプレッション成形することで、内側層内に凸部を有する外側層が形成される。
【００４４】
本発明のゴルフボールは、ボール直径及び重量はＲ＆Ａのゴルフ規則に従い、直径４２．６７ｍｍ以上、重量４５．９３ｇ以下に形成することができる。
【００４５】
【発明の効果】
本発明の多層構造ゴルフボールは、スピン性能が減少し、これによってゴルフボール飛翔中の余分な揚抗力を減じることができ、結果的に飛距離増大につながるものである。また、打球感に関しては、従来タイプの球平面のみで互いに接しあった構造では達し得なかった軟らかさ、快い軽さ、軽快な打球音等を同時に満足することができる。同時に、正多面体配列することによって、ボールのどの位置を打撃しても同様な打球感、スピン性能、飛距離を得ることができる。
【００４６】
【実施例】
以下、実施例と比較例を示し、本発明を具体的に説明するが、本発明は下記実施例に制限されるものではない。
【００４７】
〔実施例，比較例〕
表１に示した配合処方のコア用ゴム組成物をニーダーで混練し、コア用金型内で１５５℃の温度で約１５分間加硫することにより、ソリッドコアを作成した。また、表１に示した配合処方の包囲層、内層カバー、外層カバーを上記コアの周囲に射出成形で被覆した。この場合、実施例１〜７，比較例１，２，４の内層カバー又は包囲層用金型には、キャビティ内周面に多数の凸形状（円柱）を形成することにより、凹部が表２，図３〜１０及び表４に示した態様で形成される。なお、図３〜１０において、２０は凹部を示す。
【００４８】
【表１】
0004450119.tif 000002
【００４９】
【表２】
0004450119.tif 000003
【００５０】
次いで、得られたゴルフボールの飛距離及び打感を下記のようにして評価した。結果を表５，６に示す。
【００５１】
飛距離の評価
ミヤマエ社製スイングロボットを用い、ブリヂストンスポーツ社製ゴルフクラブ（ドライバー（＃Ｗ１），２３０チタン，Ｓシャフト，ロフト１０．５度）を使用して、ボール１種類当たり、ヘッドスピード４５ｍ／ｓｅｃで３０個打撃して、平均値、最大値、最小値にて評価した。
打球感の評価
アマチュア，プロ各２名ずつ合計４名で評価した。いずれも、＃Ｗ１，＃Ｉ５によってテストし、各々のボールを適宜組み合わせ、最低３個ずつ打撃した。
評価には、従来技術（比較例３）に対する相対評価を点数化して平均値で表した。
【００５２】
【表３】
0004450119.tif 000004
【００５３】
【表４】
0004450119.tif 000005
【００５４】
【表５】
0004450119.tif 000006
【００５５】
【表６】
0004450119.tif 000007
【図面の簡単な説明】
【図１】本発明の一実施例に係るゴルフボールの概略断面図である。
【図２】本発明の稜線形成態様の説明図である。
【図３】凹部配列態様Ｉの斜視図である。
【図４】凹部配列態様ＩＩの斜視図である。
【図５】凹部配列態様ＩＩＩの斜視図である。
【図６】凹部配列態様ＩＶの斜視図である。
【図７】凹部配列態様Ｖの斜視図である。
【図８】凹部配列態様ＶＩの斜視図である。
【図９】凹部配列態様ＶＩＩの斜視図である。
【図１０】凹部配列態様ＶＩＩＩの斜視図である。
【符号の説明】
１  ゴルフボール
２  コア
３  包囲層
４  内層カバー
５  外層カバー
【図１】
0004450119.tif 000008
【図２】
0004450119.tif 000009
【図３】
0004450119.tif 000010
【図４】
0004450119.tif 000011
【図５】
0004450119.tif 000012
【図６】
0004450119.tif 000013
【図７】
0004450119.tif 000014
【図８】
0004450119.tif 000015
【図９】
0004450119.tif 000016
【図１０】
0004450119.tif 000017